(57)【要約】      （修正有）【課題】複合靴を提供する。【解決手段】分離可能に結合された第１靴体１０と第２靴体２０を包含し、該第１靴体はクローズトウ１５でオープンヒール１１とされ、第２靴体はクローズトウでクローズヒールである。且つ第２靴体は、ソールの底面２４が第１靴体のソール上面１２に置かれ、第２靴体のクローズトウ部が第１靴体のクローズトウ部内に被包され、第２靴体のクローズヒール部は第１靴体のオープンヒール部に置かれる方式で、第１靴体内に結合される。並びに、第２靴体のクローズヒール部に少なくとも一つの結合部材２２が設けられて第１靴体のオープンヒール部に設けられた少なくとも一つの結合部材と結合可能である。以上の複合靴は屋外で一般にドレスシューズとして使用されるほか、カジュアルシューズ及び室内のスリッパに転換使用可能である。【選択図】図２
0003150995.tif 000002
【実用新案登録請求の範囲】
【請求項１】
第１靴体であって、クローズトウでオープンヒールであり、該第１靴体のオープンヒール部に少なくとも一つの結合部材が設けられた、上記第１靴体と、
第２靴体であって、クローズトウでクローズヒールであり、該第１靴体に分離可能に結合され、該第２靴体のソールの底面が該第１靴体のソール上面に置かれ、該第２靴体のクローズトウ部が該第１靴体のクローズトウ部内に被包され、該第２靴体のクローズヒール部は該第１靴体のオープンヒール部に置かれ、該第２靴体のクローズヒール部に該第１靴体のオープンヒール部に設けられた該結合部材と結合可能な少なくとも一つの結合部材が設けられた、上記第２靴体と、
を包含したことを特徴とする、複合靴。
【請求項２】
請求項１記載の複合靴において、該第１靴体の結合部材と該第２靴体の結合部材は、相互に結合及び分離可能な留め具、面ファスナーのいずれかであることを特徴とする、複合靴。
【請求項３】
請求項１記載の複合靴において、該第１靴体の結合部材と該第２靴体の結合部材の一方は、該第１靴体或いは第２靴体より外向きに伸出する片体とされることを特徴とする、複合靴。
【請求項４】
請求項１記載の複合靴において、該第２靴体のソール外底面に止滑面を具えたことを特徴とする、複合靴。
【請求項５】
請求項４記載の複合靴において、該第２靴体のソール底面の止滑面に複数の凸粒を具えたことを特徴とする、複合靴。
【請求項６】
請求項１記載の複合靴において、該第１靴体のオープンヒール部が第１靴体のオープンヒール部がソール上面より上向きに突出するストッパフランジを具えたことを特徴とする、複合靴。
【請求項７】
請求項１記載の複合靴において、該第２靴体が弾性伸縮するタンを具えたことを特徴とする、複合靴。
【考案の詳細な説明】
【技術分野】
【０００１】
本考案は一種の靴に係り、特に、二つの靴体を結合して構成し、異なる応用方式を有するようにした複合靴に関する。
【背景技術】
【０００２】
特定の作業内容、運動項目、レジャー場面において、ふさわしい靴を選択すべきであるとは、販売促進の説法であるものの、既に使用者の内心に深く植えつけられている。人々は常々異なる環境のために異なる靴を準備し、例えば、出張に際しては、正式な靴で営業したり会議に出席したりし、仕事以外の時間は、軽快な靴を準備してリラックスする。このため、出張に携行する荷物が多くなる。このほか、多くの家庭では、習慣的に屋内に入るときには、それまで履いていた靴を脱ぎ、スリッパに履き替える。このような習慣は、屋内環境を清潔に維持するのに役立つが、来客にとっては必ずしも便利でなく、裸足或いは靴下で室内に入るとき、客によっては足の臭いを気にしてしまう。また、スリッパに履き替えると、他人の履いたスリッパを共有することになり、衛生上の問題がある。
【考案の概要】
【考案が解決しようとする課題】
【０００３】
上述の靴に存在する使用上の問題を鑑み、本考案は一種の複合靴を提供し、それは、正式及びカジュアルシューズとして兼用でき、多くの靴を携行して出張する煩わしさを解決する。該複合靴は屋外及び屋内使用モードを変換できる機能を有し、屋内と屋外で靴を履き替える不便と衛生上の問題を解決する。
【課題を解決するための手段】
【０００４】
本考案の提供する複合靴は、分離可能に結合された第１靴体と第２靴体を包含する。そのうち、該第１靴体はクローズトウでオープンヒールとされ、第２靴体はクローズトウでクローズヒールである。且つ第２靴体は、ソールの底面が第１靴体のソール上面に置かれ、第２靴体のクローズトウ部が第１靴体のクローズトウ部内に被包され、第２靴体のクローズヒール部は第１靴体のオープンヒール部に置かれる方式で、第１靴体内に結合される。並びに、第２靴体のクローズヒール部に少なくとも一つの結合部材が設けられて第１靴体のオープンヒール部に設けられた少なくとも一つの結合部材と結合可能である。以上の複合靴は屋外で一般にドレスシューズとして使用されるほか、カジュアルシューズ及び室内のスリッパに転換使用可能である。
【０００５】
上述の複合靴は、該第１靴体と該第２靴体の結合部材は相互に結合及び分離可能な留め具或いは面ファスナとされる。
【０００６】
上述の複合靴は、該第２靴体のソール底面が止滑面とされてもよく、また、好ましくは、第２靴体が弾性伸縮するタンを具えてもよく、該タンが足甲を適度に被覆し、走行に便利である。
【０００７】
上述の複合靴は、第１靴体のオープンヒール部がソール上面に、第２靴体を係止するための突出するストッパフランジを有してもよい。
【考案の効果】
【０００８】
上述の複合靴の使用モードは、長時間列車或いは飛行機に乗る際に、適時に第１靴体（すなわち外靴）を外して第２靴体（すなわち内靴）のみを履けば、足部の不快感を軽減し、血液循環不良の問題を軽減できる。このほか、第１靴体のみを使用すると、オープンヒールであるため、外出時のカジュアルシューズ、スリッパ、サンダルとして使用できる。こうして、本考案の提供する複合靴は、屋外及び屋内で簡単に使用モードを変換でき、出張時に多くの靴を携行する煩わしさを解消でき、また、裸足或いは室内スリッパに履き替える際の衛生問題を解決する。このほか、柔軟な第２靴体は完全に抜き取って徹底的に洗浄でき、昔からの靴の内部を洗いにくいために発生する臭い及び衛生上の問題を解決する。
【図面の簡単な説明】
【０００９】
【図１】本考案の複合靴の第１実施例の組合せ立体図である。
【図２】本考案の複合靴の第１実施例の分解立体図である。
【図３】本考案の複合靴の第１実施例の正面組合せ断面図であり組合せ使用状態を示す。
【図４】本考案の複合靴の第１実施例の結合部材による第１靴体と第２靴体の部分構造組合せ図である。
【図５】本考案の複合靴の第１実施例の第２靴体の底面図である。
【図６】本考案の複合靴の第１実施例の第２靴体の使用のモード表示図である。
【図７】本考案の複合靴の第１実施例の第１靴体のみ使用のモード表示図である。
【図８】本考案の複合靴の第２実施例の組合せ立体図である。
【図９】本考案の複合靴の第２実施例の結合部材による第１靴体と第２靴体の部分構造組合せ図である。
【図１０】本考案の複合靴の第２実施例の第１靴体の結合部材の部分構造表示図である。
【考案を実施するための形態】
【００１０】
図１、２に示されるように、本考案の第１実施例の複合靴１は、第１靴体１０及び第２靴体２０を包含する。そのうち、該第１靴体１０はクローズトウでオープンヒールとされ、該第１靴体１０は使用者の踵背部の下部を被覆するヒールカップを有さず、スリッパのようであるか、或いはヒールカップを有してもいてもその高さは足の踵を充分には被覆せず、例えばこの実施例のように、第１靴体１０のクローズトウ部１５は靴のソール上面１２より上に突出するストッパフランジ１３を有し、該ストッパフランジ１３は第１靴体１０のクオーター或いはクローズトウ部１５と称され得るが、その高さは人体の踵背部を被覆するのに充分なものではない。このほか、第１靴体１０のストッパフランジ１３の外側面に、少なくとも一つの結合部材１４が設けられ、該結合部材１４は当業者が適宜選択使用できる留め具、面ファスナ等、その欲する機能を達成できる部品或いは装置とされ得る。例えば本実施例で応用されるのは留め具である。
【００１１】
該第２靴体２０は、クローズトウでクローズヒールである。且つ第２靴体２０のクローズヒール部２１の外側面に少なくとも一つの結合部材２２が設けられ、該結合部材２２は本実施例では第２靴体２０のクローズヒール部２１にあって外向きに伸出する片体２３末端の留め具であり、これにより、第１靴体１０のオープンヒール部の少なくとも一つの結合部材１４と結合可能で、第２靴体２０が分離可能に第１靴体１０内に結合される。第２靴体２０が第１靴体１０内に結合される時（図１、３、４の通り）、第２靴体２０のソール底面２４は第１靴体１０のソール上面１２に置かれ、第２靴体２０のクローズトウ部２５は第１靴体１０のクローズトウ部１５内に被包され、第２靴体２０のクローズヒール部２１は第１靴体１０のオープンヒール部１１に置かれる。本実施例では、第１靴体１０のオープンヒール部はストッパフランジ１３を有し、適宜第２靴体２０のクローズヒール部２１を係止して第１靴体１０のオープンヒール部１１より脱出するのを防止する。これにより、第１靴体１０、第２靴体２０に設けられた結合部材、例えば本実施例の第１靴体１０、第２靴体２０にそれぞれ設けられた一対の結合部材１４、２２（図５）の相互係合（図４）により、第１靴体１０と第２靴体２０をしっかりと結合させて日常の着用に供することができる。
【００１２】
上述の本考案の第１実施例の複合靴１は、応用上、第１靴体１０、第２靴体２０を結合させる時、一般の外出用の靴（ドレスシューズ、図３）として使用でき、外出用の靴の使用モードで室内に進入するか或いはスリッパに履き替える必要がある時は、それまで結合されていた結合部材１４、２２を分離し、並びに足部３０に着用されていた第２靴体２０を第１靴体１０より取り出し、第２靴体２０を足部に着用して室内スリッパの使用モードに変換する（図６）。再度外出する時は、着用していた第２靴体２０を第１靴体１０中に挿入し、並びに結合部材を係合させれば、屋外使用モードに変換できる。第２靴体２０をスリッパとする機能が増設されたため、第２靴体２０のソール底面２４は止滑面とされ、複数の凸粒２６を具えた表面とされる。及び、本実施例では第２靴体２０が弾性伸縮するタン２７（図６）を具え、適度に足甲を被包し、走行に便利である。当然、第１靴体１０のみを使用する時（図７）も、外出時の着用に便利なサンダル、カジュアルシューズとして使用できる。
【００１３】
本考案の第２実施例の複合靴２は、図８〜図１０に示されるようであり、第１靴体４０と第２靴体５０を包含し、その構造と組合せ方式は第１実施例の複合靴１と完全に同じであり、両者の差異は結合部材の設計にある。第２実施例の複合靴２では、第１靴体４０のオープンヒール部は帯状或いは片状の上に突出する結合部材４１を具え、該結合部材４１に開孔４３及び開孔４３下方に接続されたスリット４２が設けられている。第１靴体４０の結合部材４１に対応して、第２靴体５０の結合部材５１は第２靴体５０のクローズヒール部に設けられた外向きに突出する留め具とされ、結合部材５１は第１靴体４０の結合部材４１の開孔４３に通され、結合部材４１と係合し、これにより、第１靴体４０と第２靴体５０の強固な結合が提供される。上述の機能を提供するため、好ましくは第１靴体４０の結合部材４１は撓み性を有する材料、例えば皮革或いは引張り強さを有する織物で製造され、第２靴体５０の結合部材５１を第１靴体４０の開孔４３に通すことができ、開孔４３の直径は結合部材５１の頭部の直径よりやや小さく、開孔４３下方のスリット４２に組み合わされることで、有効に二つの結合部材４１、５１が相互に係合し、並びに複合靴２の走行状態での安定した結合を提供する。
【００１４】
上述の第１実施例の複合靴中の第２靴体より外向きに伸出し結合部材２２を具えた片体２３、或いは第２実施例の複合靴中の第１靴体より外向きに伸出する帯状或いは片状の結合部材４１は、ただ本願の複合靴の第１靴体、第２靴体の結合固定方式の例を説明するためのもので、実施可能な固定方式ではあるが、これら二つの実施態様に限定されるわけではなく、例えば、結合部材の帯状体或いは片体は、実施の必要に応じて第１靴体或いは第２靴体のいずれか一方に設けられる。
【符号の説明】
【００１５】
１  複合靴
１０  第１靴体
１１  オープンヒール部
１２  ソール上面
１３  ストッパフランジ
１４  結合部材
１５  クローズトウ部
２０  第２靴体
２１  クローズヒール部
２２  結合部材
２３  片体
２４  ソール底面
２５  クローズトウ部
２６  凸粒
２７  タン
３０  足部
２  複合靴
４０  第１靴体
４１  結合部材
４２  スリット
４３  開孔
５０  第２靴体
５１  結合部材
【図１】
0003150995.tif 000003
【図２】
0003150995.tif 000004
【図３】
0003150995.tif 000005
【図４】
0003150995.tif 000006
【図５】
0003150995.tif 000007
【図６】
0003150995.tif 000008
【図７】
0003150995.tif 000009
【図８】
0003150995.tif 000010
【図９】
0003150995.tif 000011
【図１０】
0003150995.tif 000012